(57)【特許請求の範囲】
【請求項１】
可とう性の覆いにより形成され、かつ複数の構成物品を充填された空間を含み、該空間中の構成物品が、相互関係において可動性であり、かつ夫々、ガス漏れのないデザインのガス充填された、可とう性のかつ薄肉の外被から成っており、従って、該構成物品が、支持具にかかる荷重を分配するために変形可能であるところの支持具において、多数の構成物品の外被が、少なくとも実質的に非伸縮性の物質から製造され、かつ少なくとも実質的に全ての構成物品の夫々は、その最大体積の50〜98％のガスで充填されておりかつ10〜100ｃｍ3の体積を持つ、ことを特徴とする支持具。
【請求項２】
夫々の構成物品は、その最大体積の50〜98％のガスで充填されており、かつ10〜100ｃｍ3の体積を持つことを特徴とする請求項１記載の支持具。
【請求項３】
構成物品は、その最大体積の75〜85％のガスで充填されていることを特徴とする請求項１又は２記載の支持具。
【請求項４】
構成物品の体積が、35〜45ｃｍ3であることを特徴とする請求項１〜３のいずれか一つに記載の支持具。
【請求項５】
構成物品の薄肉の外被が、ヒートシール可能な内側の層、外側の層の物質自体と覆いの内側に関して比較的低い摩擦係数を持つ耐磨耗性の外側の層、及び該ガスに対して少なくとも実質的に不透過性であるところの少なくとも一つの中間層を含むことを特徴とする請求項１〜４のいずれか一つに記載の支持具。
【請求項６】
内側の層が、PE、(V)LDPE、EVA又はEMAから成ることを特徴とする請求項５記載の支持具。
【請求項７】
中間層が、75％の空気湿度において30の最大OTR（酸素透過速度）を持つことを特徴とする請求項５又は６記載の支持具。
【請求項８】
中間層が、EVOH又はPVDCから成ることを特徴とする請求項７記載の支持具。
【請求項９】
外側の層が、ナイロン布又はエンボスされたポリアミドフィルムから作られていることを特徴とする請求項５〜８のいずれか一つに記載の支持具。
【請求項１０】
外側の層が、その上にシリコーンコーティング又はDLCコーティングを有することを特徴とする請求項５〜９のいずれか一つに記載の支持具。
【請求項１１】
覆い中の構成物品の間に、潤滑剤が、支持具上の荷重により生ずる、構成物品の相互の関係における動きを容易にするために存在することを特徴とする請求項１〜10のいずれか一つに記載の支持具。
【請求項１２】
外側の層が、PE、(V)LDPE、EVA又はEMAから成ることを特徴とする請求項５〜８及び請求項11のいずれか一つに記載の支持具。
【請求項１３】
可とう性の覆いにより形成され、かつ複数の構成物品を充填された空間を含み、該空間中の構成物品が、相互関係において可動性であり、かつ夫々、ガス漏れのないデザインのガス充填された、可とう性のかつ薄肉の外被から成っており、従って、該構成物品が、支持具にかかる荷重を分配するために変形可能であり、かつ支持具上の荷重に反応して生ずる覆い中での相対的動きを通して空間における構成物品の再分配を容易にするための潤滑剤が構成物品の間の空間に存在し、かつ覆いが潤滑剤に対して不透過性であるところの支持具において、自由な量のガスが構成物品の間の空間に存在して最小量の潤滑剤が存在することを可能にし一方、該ガスが、支持具上の荷重が取り除かれた後に、支持具の形状復元を容易にすることを特徴とする支持具。
【請求項１４】
支持具が、支持具中の潤滑剤量が変化することなしに、支持具に荷重がかけられる時に空間中のガス量を減少し、支持具上の荷重が取り除かれるとガス量を増加させるための手段を含むことを特徴とする請求項13記載の支持具。
【請求項１５】
該ガスが、空気から成り、かつ覆いが、覆いの内側から外側にかつ覆いの外側から内側に空気が流れることを可能にするダイアフラムを含み、更に、該ダイアフラムが、潤滑剤に対して不透過性であることを特徴とする請求項14記載の支持具。
【請求項１６】
支持具が更に、構成物品が位置されているところの空間に少なくとも一つの通路により接続された緩衝槽を含み、一方、該通路は、構成物品が空間から緩衝槽に該通路を経て動くことができないような寸法を有し、かつ支持具に荷重がかけられた時に、空間から出てくるガスを該通路を経て緩衝槽が充填されることができ、かつ該ガスは、荷重が取り除かれた時に、空間に逆流することができることを特徴とする請求項14記載の支持具。
【請求項１７】
緩衝槽が、支持具の端に隣接して延びており、かつ環の形状のデザインのものであり、一方、開口通路が、環の中心を経て、支持具の第一の外側から支持具の第二の外側に存在し、かつ該通路は、支持具を持ち運ぶための握りとして働くことができることを特徴とする請求項16記載の支持具。
【請求項１８】
多数の構成物品の外被は、少なくとも実質的に非伸縮性の物質から製造され、かつ該構成物品の夫々は、その最大体積の50〜98％のガスで充填されており、かつ10〜100ｃｍ3の体積を持つことを特徴とする請求項13〜17のいずれか一つに記載の支持具。
【請求項１９】
空間を第一の部分空間と第二の部分空間に分割する仕切りが空間中に存在することを特徴とする請求項１〜18のいずれか一つの支持具。
【請求項２０】
該第一の部分空間と第二の部分空間に、単位体積当たり、相互に異なる数の構成物品が存在し、かつ仕切りが、第一の部分空間から第二の部分空間に及びその逆に構成物品が移動することを防止することを特徴とする請求項19記載の支持具。
【請求項２１】
支持具が更に、覆いが収容されるところの外側のカバーを含み、かつ覆いが、外側のカバーの開口を通して外側に突出した輪を含むことを特徴とする請求項19又は20記載の支持具。
【請求項２２】
該輪及び開口は、覆いが外側のカバーにおいてただ一つの位置で適合するような位置を有し、かつ該輪が、該開口から外側に突出することを特徴とする請求項21記載の支持具。
【請求項２３】
支持具が、４個の垂直な側壁、頂部面及び底部面を持つ矩形又は正方形のクッションを形成し、かつ仕切りが、垂直な側壁の一つに対して平行に延びることを特徴とする請求項19〜22のいずれか一つに記載の支持具。
【請求項２４】
３個の垂直な側壁及び頂部面又は底部面により形成される二つのコーナー点が夫々、使用において支持具の正確な位置取りの認識を容易にさせるような視覚的又は触感的に認識可能な目印を含むことを特徴とする請求項23記載の支持具。
【請求項２５】
リフティング又はホイスティングベルトの形態の請求項１〜18のいずれか一つに記載の支持具。
【請求項２６】
ライフジャケットの形態の請求項１〜18のいずれか一つに記載の支持具。
【請求項２７】
細長い形状のベルトを含むリフティング又はホイスティングベルトにおいて、請求項１〜18のいずれか一つに記載の少なくとも一つの支持具により、該ベルトの長さ方向の少なくとも一部分を通して包囲されているところのリフティング又はホイスティングベルト。
【発明の詳細な説明】
本発明は、例えば、可とう性の覆いで形成され、かつ複数の構成物品を充填された空間を含むクッションのような支持具に関し、ここで、該空間中の構成物品は、相互関係において可動性であり、かつ夫々の構成物品は、ガス漏れのないデザインのガス充填された、可とう性のかつ肉薄の外被より成っており、従って、該構成物品は、変形可能であり、そして従って、支持具にかかる圧力の分配を与える。
そのような支持具は、欧州特許第０２００８２２号公報に開示されている。該欧州特許公報において述べられたガス充填された構成物品は、５ミクロン及び５０ｍｍの間の寸法を有する。この支持具に生ずる問題は、もし、支持具が、例えばシート用クッションとして使用されるなら、不十分な点は、支持具上の人体により加えられる圧力又は力が、人体の輪郭に対する支持具の内容物の最適な順応を余りに僅かしか実現できないという事実にあるということである。従って、不十分な形態の順応に基いての支持具にかかる圧力分配は、長時間の使用後に、そのような支持具が使用者に余り安楽な状態を与えず、かつ身体上の不平を高めることを与えさえし得るところの結果の故に、最適でない。
欧州特許第２００８２２号公報に開示されている支持具とは別に、一方では、セグメント化と共に又はセグメント化なしで、空気による支持に基きかつ全てのタイプのポンプ系により制御されるところの多くの支持方法が、考案されかつ販売されている。これらの方法は、少なくとも実質的にマットレスのみに関係する。
これの欠点は通常、圧力分配能力が低いことである。その上、そのような支持具は、それらが通常、関係する使用者に個々別々に調節されなければならないという欠点を有する。漏れやすくなることに加えて、そのような支持具は、典型的に使用される電気装置のためにむしろとかく損傷されがちである。更に、不安定性の問題、そしてそれ故に、安楽性の欠如が更に存在し、かつ更に、振動するポンプが更なる不快感を生じさせ得る。とりわけ、メディカルケアーの範囲内において、老人人口の増加は、高度の操作上の信頼性を持つ、単純、軽量、安楽かつ高品質のクッション及びマットレス及び他の支持具のための増大する要求をもたらした。操作上の信頼性の要求は、とりわけ、同様に増大するホームケアーにおいて特別の大きな部分を果たす。加えて、座ることは、我々の生活の非常に多くの部分を占めており、かつ人がより長時間座っている状況（オフィス、スタジアム、飛行機、自動車）において、上記の欠点を含まないところの、序文で述べたタイプの支持具がまた必要である。本発明に従って設計されるという条件で、そのような支持具は、より良好な補助を提供するであろうし、そして従って、フォームから成る支持具又は他の非力学的な支持手段より安楽であろう。
本発明は、この要求に応じ、かつ多数の構成物品の外被が、少なくとも実質的に非伸縮性の物質から製造されており、かつこれらの構成物品の夫々は、その最大体積の５０〜９８％のガスで充填されておりかつ１０〜１００ｃｍ3の体積を有するということを特徴として有している。
本発明によれば、該構成物品は、それらの最大体積の５０〜９８％のガスで充填されている故に、該構成物品は、個々別々に変形されることができ、そして従って、僅かな荷重の下において支持具に更なる形状順応性を与える。加えて、該構成物品による占有される体積と共にこの充填の程度は、また支持具に荷重がかけられる時に、該構成物品が比較的容易に互いに沿って動き得ることを伴う。従って、支持具に荷重がかけられる時に、該構成物品が比較的容易に相互に位置を変えることができることを提供する。これにより、支持具は、いわば、荷重に反応するための更なる自由度を得る。更に、種々の構成物品が相互に位置を変えることの結果として、支持具の使用者の体の輪郭に沿う最適な圧力分配及び形状適合性が実現されることが提供される。
特定の実施態様に従えば、支持具上の荷重により生ずるところの相互関係における構成物品の動きを容易にするための潤滑剤が、覆い中で構成物品の間に存在する。
上記の概略的に述べられた問題に対する解決を提供するところの本発明の他の面に従えば、支持具上の荷重に反応する覆い中の相対的動きを通して、空間中の構成物品の再分配を容易にするための潤滑剤が構成物品の間の空間に更に存在するところの序文で述べられたタイプの支持具は、構成物品の間の空間に自由な量のガスが存在し、従って最小量の潤滑剤が存在しかつ該ガスが、支持具上の荷重が取り除かれた後に、支持具の形状の復元を容易にすることにより更に特徴付けられる。より詳しくは、支持具は、支持具中の潤滑剤の量の変化を伴うことなしに、支持具上に荷重がかけられた場合に空間中のガス量を減じるための手段、及び支持具上の荷重を取り除くとガス量を増加するための手段を含む。
下記において、本発明は、添付図面に関連して詳細に記述されるであろう。ここで、
図１は、本発明に従うクッションの形態における支持具の第一の実施態様の断面を示す。
図２ａは、図１に従う支持具の構成物品の断面を示す。
図２ｂは、図２ａに記載された矢印Ｐの方向における構成物品の平面図である。
図３は、図１に従う支持具の構成物品の一部の概略の断面図である。
図４は、本発明に従う支持具の第二の実施態様を示す。
図５は、本発明に従う支持具の第三の実施態様を示す。
図６は、図５に従う支持具の第一の断面を示す。
図７は、図５に従う支持具の第二の断面を示す。
図８は、本発明に従う支持具の第四の実施態様の遠近画法における透視図である。
図９ａは、本発明に従う支持具の第五の実施態様の第一の斜視図である。
図９ｂは、本発明に従う支持具の第五の実施態様の第二の図である。
図１０ａは、本発明に従う吊り帯の形態における支持具の第六の実施態様の平面図である。そして
図１０ｂは、図１０ａに従う支持具の断面を示す。
図１において、参照数字１により、本発明に従う支持具の第一の可能な態様が示されている。支持具１は、複数の構成物品４を含む可とう性の覆い２を含む。構成物品は、覆い２により取り囲まれる空間３において相互に可動性である。各々の構成物品４は、ガス充填された、可とう性のかつ肉薄の外被６より成る。ガスは、参照番号８により概略的に示されている。構成物品４の外被６は、全てガス漏れのないデザインであり、従って、構成物品は、支持具１にかかる荷重を分配するために弾性的に圧縮できる。
構成物品４の外被６は、少なくとも実質的に非伸縮性（即ち、少なくとも実質的に非伸縮自在性）及びガス不透過性物質から製造される。更に、構成物品は夫々、これらの最大体積の５０〜９８％のガス８を充填されている。この場合に、最大体積は、ガスの最大量が構成物品４中に存在する時に作り出される構成物品４の体積として定義される。構成物品４の外被６が、少なくとも実質的に非伸縮性の物質（即ち、当該物質は引き伸ばすことができず、従って、構成物品は、風船の場合のように膨らまされることができない）から製造される故に、最大体積はうまく定義される。しかし、構成物品は、これらが含むことができるところのガスの最大量を充填されない。このことは、構成物品自体が変形可能、即ち、構成物品の形状が、力又は圧力の影響下に変化し得ることを伴う。他方、構成物品の外被が非伸縮性の物質から製造されるという事実のために、構成物品を完全に平らにすることはできない。
更に、該構成物品は、１０〜１００ｃｍ3の体積を占める。そのような体積を持つ構成物品が伴うところの利点は、全ての構成物品の全外表面が、より小さい構成物品を持つ同一の支持具と比較するとき、小さいことである。これは、構成物品が相互に容易に滑り得ることを意味している。結局、もし、構成物品がはるかにより小さい体積、例えば、１０分の１ｃｍ3を持っているなら、そのような構成物品で充填されたクッションは、サンドバッグ又はポリスチレンの細粒で充填されたお手玉のようにふるまうであろう。サンドバッグは、それが高い荷重下においてのみ変形されるという欠点を有するのに対して、ポリスチレンの細粒で充填されたお手玉は、それが低く又は高い局所荷重下においてのみ変形されるという欠点を有する。
しかし、他方において、本発明に従って、１０〜１００ｃｍ3の体積を有するところの構成物品は、もし、これらが、例えばピンポン球のようにその使用中に変形しないなら、使用者が非常に心地のよくない支持具を提供されるという欠点を必然的に伴うであろう。
上記のように構成物品の５０〜９８％の充填の程度の故に、本発明に従う支持具は、この問題の解決を提供する。もし、構成物品の体積が、１００ｃｍ3より大きいなら、該構成物品は、相互により一層容易に多分滑り得るであろう。しかし、欠点は、その場合に、支持具が全体として余りにも厚くなるであろうということである。
上記の本発明に従う充填の程度及び関連付けられた体積は、挙げられた利点のみを含み、一方、挙げられた全部の欠点は除去される。
好ましくは、構成物品は、これらの最大体積の７５〜８５％のガスで充填されている。とりわけ、構成物品の体積は３５〜４５ｃｍ3である。構成物品に充填されているところのガスは、好ましくは、例えば空気のような非可燃性ガスである。
本発明に従う支持具の更なる利点は、それが比較的軽量であるということである。しかし、また軽量であるところのエアークッションと比較して、本発明に従う支持具は、非常に安定であるという利点が達成される。クッションの形態の支持具上に使用者が座ることは、クッションから傾く傾向又は滑る傾向がないであろう。本発明に従う支持具の他の利点は、覆いが繊維から成るところの実施態様において漏れやすくなり得ないということである。
図２ａは、構成物品６の断面を示す。図２ｂは、図２ａに記載された矢印Ｐの方向における構成物品の平面図である。構成物品は、球形にほぼ等しい形状を持つ。図２に示されている典型的な実施態様において、構成物品６は、夫々円形の緯度方向の端１４を持つ、フィルム物質の二つのシート１０，１２から成る。二つのシートは、緯度方向の端１４に隣接して一緒に密閉される。構成物品はもちろんまた、異なる形状、例えば四面体形状を有し得る。
図３は、図２ａのシート１２が製造されるところのフィルムの構造を概略的に示している。シート１２（並びにシート１０）は、いくつかの層から成る。該シートは、十分な製造速度において簡単な機械により加工することができるヒートシール可能な内側の層１６を含む。好ましくは、ヒートシール可能な内側の層は、ＰＥ、（Ｖ）ＬＤＰＥ、ＥＶＡ又はＥＭＡから成る。更に、シート１０、１２は、防壁層１８の形態で中間層を含み、かつ該防壁層は、だれかが、そのような構成物品で充填されたクッション又はマットレス上に座るか又は横たわるかする時、数か月間から数年間に亘る長期間、その状況に適合して個々の構成物品上の力又は圧力の発揮を可能にする。それ故に、防壁層１８はまた、例えば空気のようなガスに対して殆ど不透過性であるという性質を有する。好ましくは、中間層１８は、７５％の空気湿度において３０の最大ＯＴＲ（酸素透過速度）を有する。とりわけ、中間層１８はその時、ＥＶＯＨ又はＰＶＤＣから成る。
最後に、シート１０、１２は、耐磨耗性であり、かつ構成物品の相互関係において低い摩擦係数を与える。外側の層として、ナイロン布又はエンボスされたポリアミドフィルムが好ましく使用される。そのような表面に構造は、いわゆるスティック-スリップ効果が妨げられるという利点を有する。従って、構成物品の相互間の初期の摩擦力は、制限される。外側の層としてのナイロン布の他に、ナイロン布又は特別のエスボンの組み合わせのいずれにせよ、外側の層の一部として摩擦低減コーティングの使用が、また可能である。
この結合において、例えば、シリコーンコーティングが、第一に考えられるべきである。また、本発明に従って、ＤＬＣ（ダイヤモンド様炭素）コーティングが、使用され得る。適切なコーティングが、シート１０、１２の外側の層２０に与えられる。図３に従うフィルムから製造される構成物品は、頻繁に生じる変形に対しての高い抵抗（曲げ／割れ抵抗）を有する。更に、この構成物品は、伸びが完全にない、言い換えれば非伸縮性である。他の利点は、構成物品の適切なタイプは殆ど全く気密性であり、従って、該構成物品は、多年の使用の後にでさえ、同量のガスで実際になお満たされているであろうということである。図３に従うシート１０、１２は、共押出法による自体公知の方法で製造され得る。
とりわけ、図１に従う支持具１は、覆い２の内部であるが構成物品４の外側に位置されるところの潤滑剤を更に含む。該潤滑剤は、互いに沿って構成物品４が容易に動くことを助長する。図１の支持具がシートクッションとして使用される時、これは、使用において、支持具１が使用者の体の輪郭にそれ自体順応するような方法により、構成物品４がその相互関係において位置を変えることができるという利点を含む。構成物品４自体がまた、ある程度変形可能である故に、輪郭に対する順応はなおさら改善され、かつ更に、高度の座り心地良さが得られる。次に、支持具の安定性がまた、保証される。潤滑剤として、例えばゲルが使用され得る。粉末状の潤滑剤を使用することがまた可能である。
もし、潤滑剤が使用されるなら、外側の層２０は、外側の層に関して上記において言及した物質とは別に、ＰＥ、（Ｖ）ＬＤＰＥ、ＥＶＡ又はＥＭＡから成ることができる。例えば、シリコーンオイルのような潤滑剤と組み合わせて、そのような物質は、構成物品の相互間の最適な可動性、即ち、構成物品の相互間の非常に低い摩擦係数を提供する。
図４は、本発明に従う代わりの実施態様を示しており、ここで、図１に対応する部分は、同一の参照番号が与えられている。図４の支持具２２は、多数のガス充填された構成物品４が含まれているところの覆い２を含む。例えば、ガス充填された構成物品４は、図１〜３に従う構成物品に関して述べたと同じ性質を有する。更に、図４の支持具の構成物品４の間に、図１に関して議論したような潤滑剤２３が存在する。図１の覆い及び図４の覆いの両方に、もし、潤滑剤２３が使用されるとが適用されるなら、これらの覆いは、重滑剤に対して不透過性でなければならない。
しかし、個々の構成物品の間の摩擦係数を十分な程度に減ずるところの潤滑剤の使用は、支持具の重量が１０％程度まで増大するであろうような大量の潤滑剤を必要とする。
本発明に従えば、この欠点は、特定の量の自由な空気又はガスが、構成物品の外側であるが覆い２の内側に存在する構造により克服され得る。従って、構成物品が、相互関係において十分に可動し得ることが提供されと同時に、最小量の潤滑剤が使用される。覆い中の自由な空気又はガスの量は、支持具上の荷重が消滅される時、支持具の形状復元能力の増大に更に貢献する。
構成物品４の間の自由な空気又はガス２４の体積量は、構成物品４により占められる合計された全体積の好ましくは約２〜２０％であろう。これは、例えば、１０ｄｍ3より大きなところの体積の支持具に適用される。他方、より多くの空気２４が覆い２中に存在する時、支持具２２は、なかんずく、付随する不安定性の欠点を持つ普通のエアークッションのようにふるまうであろう。
支持具２２の全体積が増加するに従って、この体積における自由ガスのパーセンテージは、該支持具がエアークッションのようにふるまい始めることなく同様に増加することができる。上記のことは、そのような支持具が大きな形状復元能力を正確に可能にすることを含む。
より小さい（例えば、４ｄｍ3より小さい）支持具の場合、例えば枕のようなものの場合において、構成物品の間の自由な空気の体積のための余裕はほんの僅かである。これは、僅かな形状復元能力のみが可能であることを意味するであろう。
支持具の特定の実施態様に従えば、この欠点は、支持具が、空間中の潤滑剤量が変化することなしに、支持具上に荷重がかけられた場合に空間中のガス量を減ずるための手段、及び支持具上の荷重が取り除かれた後にガス量を増加するための手段を含むことによって克服される。空気の量の減少は、より安定なクッションが得られることを意味する。次いで、空気の量を増加することにより、形状復元能力が助長される。
この特定の実施態様がまた、図４に示されている。この実施態様において、上記のガス２４は空気からなり、かつ覆い２は、自体公知であり、かつ覆い２の内側から外にかつ覆い２の外側から中に空気を通過することを可能にするところのダイアフラム２８を含む。この一方、該ダイアフラム２８は、潤滑剤２４に対して不透過性である。該ダイアフラム２８は更に、外側から内側にほこりの吸い込みを防止する性質を有する。とりわけ、支持具２２が、例えば飛行機の中での場合のような変動する環境圧下で使用されるところの状態において、ダイアフラム２８の使用は、いつも、圧力差が覆い２の内側と外側の間で存在しないという利点を更に含むであろう。従って、支持具２２は、上記において述べられたように使用者のために所望される性質を有する。
支持具３０の代わりの実施態様は、図５〜７に示されている。支持具３０はまた、支持具に荷重がかけられた時に、空間中のガス量を減ずるための手段、及び支持具上の荷重が取り除かれる時にガス量を増加するための手段を含む。この目的のために、支持具３０は、構成物品４が配置されるところの空間３への多数の通路３４により接続された緩衝槽３２を含む。通路３４は、構成物品４が、これらの通路３４を経て空間３から緩衝槽３２に移動することができないような寸法を有している。支持具３０に荷重がかけられた時、緩衝槽３２は、通路３４を経て、空間３から出て来るガスで満たされ得る。このガスは、支持具３０上の荷重が再び取り除かれる時、通路３４を経て緩衝槽３２から空間３に逆に流れることができる。本発明の実施例において、緩衝槽３２及び空間３は、上記の開口３４を備えた中間壁３８により分離される。好ましくは、中間壁３８は、覆い２と同一の物質から製造される。
好ましくは、緩衝槽は、図５に示されたように、支持具３０の端４０に隣接してかつ沿って伸びており、かつ環の形状をしたデザインである。該環の中心に、開口した通路４２が、支持具３０の第一の外側４４から第二の４６の伸びて存在している。通路４２は、支持具３０を持ち運ぶための握りとしてふるまうことができる。もちろん、緩衝槽３２は、完全に気密性の方法により外界から密閉されている。同じことが、空間３に適用される。
図４〜７において概略示されている支持具の実施態様は全て、僅かな荷重下において体積含有量の変化を経験することができるであろう。とりわけ、覆いはこの目的のために、切り取り法(undeformed manner)により力を伝達するところの物質から製造される。この点について、該覆い中に、できる限り少しの張力が、荷重がかけられた時に、その表面に引き起こされ得ることが重要である。該覆いのために、二方向に伸縮可能であり、かつ人間の皮膚の伸縮性の水準の伸縮性を持つところの物質を使用することが好ましい。伸縮性の最も大きい程度は、支持具の横軸方向において与えられるべきである。
図８は、上述の図の一つにおいて述べられたようなタイプの支持具４４の特定の実施態様を示す。とりわけ、支持具４４は、覆い２の内部の空間に、この空間を第一及び第二の部分空間４８、５０に分割する仕切り４６が備えられている。とりわけ、第一及び第二の部分空間中に、それらの単位体積当り、異なる数の構成物品４が存在する。図中には、単にこれらの２、３個が示されているにすぎない。仕切り４６は、第一の部分空間４８から第二の部分空間５０への及びその逆の構成物品４の移動を防ぐ。とりわけ、仕切りはまた、もし、存在するなら、第一の部分空間から第二の部分空間への及びその逆の潤滑剤の移動をも防止し得る。同じことは、構成物品４の間に存在し得るところのガスにあてはまる。しかし、仕切り４６は、ガス及びもし存在するなら潤滑油に対する防壁を形成しないこともまた可能である。
構成物品４を持つ第一及び第二の部分空間４８、５０の充填の程度の相違の利点は、いわゆるくさび挙動(wedge action)をもたらすことである。特定の場合において、例えば、支持具４４が車椅子用クッションとして使用される時、これは、座る位置の改善を含み得る。例えば、第一の部分空間４８は、第二の部分空間５０より高い充填の程度を有し得る。もし、第二の部分空間５０が、車椅子の背の支持に近接して据えられるなら、これは、使用者が、背の支持の方向に傾き、かつ滑り傾向がそれにより防がれることを、結果として有するであろう。
仕切り４６の使用により、非対称の支持具４４が作り出される故に、外側のカバーが、内側のカバー、この場合覆い２を覆って正確にぴったりと合わされ、かつ外側のカバーを含む支持具が次に、例えば車椅子に正確な方法で据え付けられることが、最適な挙動のための重要である。この目的のために、覆い２は、その外側に針金の形状の輪５２を備えている。
図９ａは、図８の覆い２が外側のカバー５４中に据え付けられるところの方法を示す。この実施例において支持具４４が、４個の垂直な側壁５６〜６２、頂部面６３及び底部面６４を持つ矩形又は正方形のクッションを形成する一方、輪５２は、側壁、頂部面及び底部面の夫々の中心からそれた位置に位置されている故に、該覆い２は、外側のカバー５４中の開口６６を通して外側に突出した輪５２を有することができるような方法で、単に確実な方法で外側のカバー５４中に受け入れられ得る。この目的のために、開口部６６は、輪５２の位置に対応する位置に備えられている。輪５２は、支持具４４の対称軸上の存在しないところの位置に据えられることが必須である。
それ故に、外側のカバー５４及びそこに含まれる充填された覆い２を含む、図９ａ中に示された支持具は、いかなる方法で、覆い２が、外側のカバー５４中に包み込まれるかを正確に知られることを利点として有する。今、正確な方法で椅子に図９ａに従う支持具４４を据えることがまた可能である。例えば、輪５２は、背の支持から離れて面する椅子の側に位置されるべきであることが計画され得る。更に、輪５２が支持具の底部側を示すことが計画され得る。
図９ａは、図９ａの矢印Ｐにより示された方向から見た、図９ａの支持具を示す。これから、３個の垂直な側壁及びこの場合に底部面６４により形成される二つのコーナー点６７、６８は、この実施例においてハッチ線において示された、視覚的又は触覚的に認識し得る目印により夫々与えられることが明らかである。これは、使用において、例えば車椅子における支持具の適切な位置付けが、簡単な方法で行われ得ることを利点として有する。この場合に、例えば、コーナー点６７、６８が、椅子の支持及びシート底部に近接して据えられるべきことが計画され得る。
最後に、図１０ａ及び１０ｂは、上記の図１〜９の一つにおいて述べられたようなタイプの支持具７０が使用されるところのリフティング又はホイスティングベルトの特定の実施態様を示す。この実施例において、リフティング又はホイスティングベルト７２は、ベルト７８により相互に連結された二つの金属の留め金７４、７６から成る。ベルト７８は、例えば、人を引き上げるために人の回りの結び付けられ得る。この点について、なかんずく、病院で使用される引上げ装置ばかりでなく、例えばヘリコプターにおいて使用される引上げ装置を考えるであろう。自体公知のリフティング又はホイスティングベルトは、布強化され、空気膨脹されたホース（火事用ホース）から成る。しかしそれは、人に創傷、挫傷及び圧力箇所を引き起こし得るという欠点を持っている。それ故、本発明に従うベルト７８は、支持具７０により取り囲まれている。この実施例において、支持具７０は、夫々構成物品４で充填された二つの覆い８０、８２から成る。覆い８０、８２は夫々、ベルト７８の長さ方向に延びる。覆い８０の経線方向の端８４、８６は、覆い８２の経線方向の端８８、９０に取り付けられる。支持具８０、８２は結合して、ベルト７８が延びるところの長さ方向に空間９２を形成するように配置される。これは、持ち上げ動作中に圧力が、上記の複雑化した問題を発生する可能性なしに、人体全体により平等に分配されるという性質を持つリフティング又はホイスティングベルト７２の形態で支持具７２が形成されることを意味する。更に、ベルト７８に引張応力のみがある一方、支持具８０、８２は、人体に垂直な力を実質的に発揮する。従って、リフティング又はホイスティングベルトは、少なくとも支持具８０、８２によりその長さの少なくとも一部を通して囲われているところの細長い形状のベルト７８を含む。
完全化のために、本発明は、上記において述べられた実施態様に限定されないことが認められる。例えば、全ての上記の利点を持つライフジャケットの形態における支持具を作成することが可能である。結局、ガス充填された構成物品は、ライフジャケットの十分な浮力を提供するであろう。
図１に関して述べられたような特定の性質を持つ構成物品４がまた、他の図に関して述べられた支持具に使用され得ることがまた理解されるであろう。これらのかつ他の変形は全て、本発明の範囲内に属することが理解される。
【図１】
0003902651.tif 000002
【図２ａ】
0003902651.tif 000003
【図２ｂ】
0003902651.tif 000004
【図３】
0003902651.tif 000005
【図４】
0003902651.tif 000006
【図５】
0003902651.tif 000007
【図６】
0003902651.tif 000008
【図７】
0003902651.tif 000009
【図８】
0003902651.tif 000010
【図９ａ】
0003902651.tif 000011
【図９ｂ】
0003902651.tif 000012
【図１０ａ】
0003902651.tif 000013
【図１０ｂ】
0003902651.tif 000014